(57)【要約】【課題】段ボール箱の圧縮強度の低下を招くことなく、テープを容易に剥がして段ボール箱を簡単に開封することができる段ボール箱の開封構造を提供すること。【解決手段】波板状の中芯２ａの表面に表ライナー２ｂが被着された段ボール紙２によって構成され、上面開口部を開閉可能な一対のフラップ１ａで覆い、両フラップ１ａの突き合わせ部にテープ３を貼着して密封された段ボール箱１の開封構造として、前記段ボール箱１の前記テープ３の長手方向端部が貼着される側面１ｂの前記表ライナー２ｂに、閉じた形状に切込みａを入れ、この切込みｑによって囲まれるつまみ部２Ａに前記テープ３の端部を貼着する構成を採用する。【選択図】図４
2014162498.tif 000002
【特許請求の範囲】
【請求項１】
波板状の中芯の表面に表ライナーが被着された段ボール紙によって構成され、上面開口部を開閉可能な一対のフラップで覆い、両フラップの突き合わせ部にテープを貼着して密封された段ボール箱の開封構造であって、
前記段ボール箱の前記テープの長手方向端部が貼着される側面の前記表ライナーに、閉じた形状に切込みを入れ、この切込みによって囲まれるつまみ部に前記テープの端部を貼着して構成されることを特徴とする段ボール箱の開封構造。
【請求項２】
前記段ボール箱の側面の表ライナーに入れられる切込みの左右の少なくとも一方は垂直方向に対して傾斜していることを特徴とする請求項１記載の段ボール箱の開封構造。
【請求項３】
前記段ボール箱の前記切込みが入れられた側面の切込みの外側部分に、押圧する箇所を示す目印を表示したことを特徴とする請求項１又は２記載の段ボール箱の開封構造。
【請求項４】
請求項１〜３の何れかに記載の開封構造を備えることを特徴とする段ボール箱。
【発明の詳細な説明】
【技術分野】
【０００１】
本発明は、上面開口部を覆う開閉可能な一対のフラップの突き合わせ部にテープを貼着して密封された段ボール箱の開封構造及び該開封構造を備えて成る段ボール箱に関するものである。
【背景技術】
【０００２】
商品の輸送や保管等に使用される段ボール箱は、その内部に商品が収納された後に上面開口部が開閉可能な一対のフラップで覆われ、両フラップの突き合わせ部にテープを貼着することによって密封される。そして、このように密封された段ボール箱の開封には、爪等によってテープの端を強引に剥がしたり、カッターナイフ等によってテープをフラップの突き合わせ部に沿ってカットする方法等が採用されていた。
【０００３】
ところが、上記開封方法では、作業性が悪く、開封を容易に行うことができないという問題があった。
【０００４】
そこで、特許文献１には、図５に示すような開封構造が提案されている。即ち、図５は特許文献１において提案された開封構造を備える段ボール箱の斜視図であり、図示の段ボール箱１０１の開封は、妻板１０１ｂの上部に形成されたつまみ片１０２Ａを不図示のミシン目と切線に沿って切り離し、このつまみ片１０２Ａを持ってテープ１０３を引き剥がすことによってなされる。これによれば、テープ１０３を簡単に引き剥がして段ボール箱１０１を作業性良く開封することができるとともに、開封後に段ボール箱１０１に形成される孔１０５を把手として利用することができる。
【先行技術文献】
【特許文献】
【０００５】
【特許文献１】実用新案登録第３０５７６８３号公報
【発明の概要】
【発明が解決しようとする課題】
【０００６】
しかしながら、特許文献１において提案された図５に示す開封構造においては、開封後の段ボール箱１０１には孔１０５が開口するため、該段ボール箱１０１の圧縮強度が低下するという問題がある。
【０００７】
本発明は上記問題に鑑みてなされたもので、その目的とする処は、段ボール箱の圧縮強度の低下を招くことなく、テープを容易に剥がして段ボール箱を簡単に開封することができる段ボール箱の開封構造及び該開封構造を備えた段ボール箱を提供することにある。
【課題を解決するための手段】
【０００８】
上記目的を達成するため、請求項１記載の発明は、波板状の中芯の表面に表ライナーが被着された段ボール紙によって構成され、上面開口部を折り曲げ可能な一対のフラップで覆い、両フラップの突き合わせ部にテープを貼着して密封された段ボール箱の開封構造を、前記段ボール箱の前記テープの長手方向端部が貼着される側面の前記表ライナーに、閉じた形状に切込みを入れ、この切込みによって囲まれるつまみ部に前記テープの端部を貼着して構成したことを特徴とする。
【０００９】
請求項２記載の発明は、請求項１記載の発明において、前記段ボール箱の側面の表ライナーに入れられる切込みの左右の少なくとも一方は垂直方向に対して傾斜していることを特徴とする。
【００１０】
請求項２記載の発明は、請求項１又は２記載の発明において、前記段ボール箱の前記切込みが入れられた側面の切込みの外側部分に、押圧する箇所を示す目印を表示したことを特徴とする。
【００１１】
請求項４記載のダンボール箱は、請求項１〜３の何れかに記載の開封構造を備えることを特徴とする。
【発明の効果】
【００１２】
請求項１記載の発明によれば、段ボール箱の開封に際して、段ボール箱の側面の切込み部分を押圧すれば、その部分の表ライナーが切込みに沿って切断され、該ライナーの切断部分と他の部位との間に隙間が形成されるため、その隙間に指の先を入れて表ライナーのつまみ部をつまみ、つまんだつまみ部を引き剥がす方向に引けば、つまみ部が切込みに沿って切断されて中芯から切り離される。従って、表ライナーの切り離されたつまみ部を持ってこれを引っ張ることによって、該つまみ部に長手方向一端が貼着されたテープを作業性良く容易に剥がして段ボール箱を簡単に開封することができる。この場合、段ボール箱は、そのライナーの一部であるつまみ部のみが切り離され、貫通孔が開口する訳ではなく、中芯を含む他の部分はそのまま残るため、段ボール箱の圧縮強度が低下することがない。
【００１３】
請求項２記載の発明によれば、段ボール箱の側面の表ライナーに入れられる切込みの左右の少なくとも一方は垂直方向に対して傾斜しているため、この斜めの切込みの範囲には表ライナーと中芯の波状の山とが接着されていない箇所が必ず存在し、切込みの近傍を押圧するとその箇所の表ライナーが中芯から切り離されて該表ライナーと中芯との間に隙間が発生する。従って、その隙間に指を入れて表ライナーのつまみ部を中芯から確実に引き剥がすことができ、このつまみ部をつまんでテープを容易に引き剥がして段ボール箱を作業性良く簡単に開封することができる。
【００１４】
請求項３記載の発明によれば、段ボール箱の側面の押圧すべき箇所が目印によって表示されているため、作業者は段ボール箱の開封に際して迷うことなく目印部分を押圧すれば、その部分の表ライナーが切込みに沿って切断されて中芯との間に隙間が発生し、その隙間に指を入れてつまみ部を確実に引き剥がすことができる。
【００１５】
請求項４記載の発明によれば、圧縮強度の低下を招くことなく、テープを容易に剥がして簡単に開封することができる段ボール箱を得ることができる。。
【図面の簡単な説明】
【００１６】
【図１】本発明に係る開封構造を備えた段ボール箱の斜視図である。
【図２】図１のＡ部拡大詳細図である。
【図３】（ａ）は図２のＢ−Ｂ線断面図、（ｂ）は図２のＣ−Ｃ線断面図である。
【図４】（ａ）〜（ｅ）は段ボール箱の開封手順を示す説明図である。
【図５】特許文献１において提案された開封構造を備える段ボール箱の斜視図である。
【発明を実施するための形態】
【００１７】
以下に本発明の実施の形態を添付図面に基づいて説明する。
【００１８】
図１は本発明に係る開封構造を備えた段ボール箱の斜視図、図２は図１のＡ部拡大詳細図、図３（ａ），（ｂ）は図２のＢ−Ｂ線及びＣ−Ｃ線断面図である。
【００１９】
図１に示す段ボール箱１は、図３に示す段ボール紙２によって中空の直方体状に成形されており、その上面開口部は、該開口部の長辺を中心として折り曲げ可能な左右一対の矩形板状のフラップ（蓋）１ａによって開閉される。ここで、この段ボール箱１を構成する段ボール紙２は、図３に示すように、波板状の中芯２ａの表裏面に薄紙である表ライナー２ｂと表ライナー２ｃをそれぞれ被着して構成されている。
【００２０】
而して、段ボール箱１は、その内部に不図示の商品を収容した後、図１に示すように左右のフラップ１ａを折り曲げて上面開口部を閉じ、両フラップ１ａの突き合わせ部にテープ３を貼着することによって密封されるが、テープ３の長手方向両端部は、段ボール箱１の前後の両側面１ｂに亘って貼着されている。
【００２１】
而して、本実施の形態では、図２に示すように、段ボール箱１のテープ３の長手方向端部が貼着される側面１ｂの表ライナー２ｂに、閉じた形状に切込みａを入れて逆台形状のつまみ部２Ａが形成されており、このつまみ部２Ａにテープ３の端部が貼着されている。ここで、つまみ部２Ａを画成する切込みａのうちの左右の切込みａ１は垂直方向に対して傾斜している。又、段ボール箱１の前記つまみ部２Ａが形成された側面１ｂの切込みａの外側部分（図示例では、右側の斜めの切込みａ１の外側部分）には、押圧する箇所を示す目印４が表示されている。尚、この目印４の部分に「押す」、「ＰＵＳＨ」等の押圧を促す文字を表記しても良い。
【００２２】
次に、図１に示すように密封された段ボール箱１の開封作業を図４（ａ）〜（ｅ）に従って以下に説明する。
【００２３】
図４（ａ）〜（ｅ）は段ボール箱の開封手順を示す説明図であり、段ボール箱１の開封に際しては、該段ボール箱１の側面１ｂに表示された図４（ａ）に示す目印４部分を押圧する。すると、段ボール紙２の表ライナー２ｂのつまみ部２Ａの一部が斜めの切込みａ１に沿って切断され、その切断された部分が図４（ｂ）に示すように中芯２ａから切り離され、両者の間に隙間δが発生する。ここで、表ライナー２ｂの切込みａ１は垂直方向に対して傾斜しているため、この斜めの切込みａ１の範囲（図３に示す範囲Ｓ）には表ライナー２ｂと中芯２ａの波状の山とが接着されていない箇所が必ず存在する。このため、切込みａ１の外側の目印４が表示された箇所を押圧すると、その箇所の表ライナー２ｂが中芯２ａから切り離されて該表ライナー２ｂと中芯２ａとの間に隙間δが必ず発生する。この場合、押圧すべき個所が目印４によって表示されているため、作業者は迷うことなく最適な箇所を押圧することができる。
【００２４】
而して、上述のようにダンボール箱１の側面１ｂの表ライナー２ｂに形成されたつまみ部２Ａが一部の切込みａ１に沿って切断され、この部分において表ライナー２ｂと中芯２ａとの間に図４（ｂ）に示すように隙間δが発生すると、図４（ｃ）に示すように、その隙間δに指を差し込んで表ライナー２ｂのつまみ部２Ａをつまんでこれを持ち上げると、該つまみ部２Ａが切込みａに沿って切断されて図４（ｄ）に示すように中芯２ａから引き剥がされる。そして、その状態からつまみ部２Ａを持ってこれを引っ張れば図４（ｅ）に示すようにテープ３が段ボール箱１から引き剥がされ、段ボール箱１が開封されて該段ボール箱１に収容されている商品を取り出すことができる。
【００２５】
以上のように、本発明に係る開封構造によれば、段ボール箱１を密封するテープ３を作業性良く容易に剥がして該段ボール箱１を簡単に開封することができるが、この場合、段ボール箱１は、これを構成する段ボール紙２の表ライナー２ｂの一部であるつまみ部２Ａのみが中芯２ａから切り剥がされ、これに貫通孔が開口する訳ではなく、中芯２ｂを含む他の部分はそのまま残るため、段ボール箱１の圧縮強度の低下を防ぐことができる。
【符号の説明】
【００２６】
１        段ボール箱
１ａ      段ボールはこのフラップ
１ｂ      段オール箱の側面
２        段ボール紙
２Ａ      つまみ部
２ａ      段ボール紙の中芯
２ｂ      段ボール紙の表ライナー
２ｃ      段ボール紙の裏ライナー
３        テープ
４        目印
ａ        切込み
ａ１      斜めの切込み
δ        隙間
【図１】
2014162498.tif 000003
【図２】
2014162498.tif 000004
【図３】
2014162498.tif 000005
【図４】
2014162498.tif 000006
【図５】
2014162498.tif 000007